(57)【要約】【課題】気流による振動を低減するためのハードドライブキャリアは、ハードドライブをエンクロージャー内の受け入れ素子に着脱可能に固定するように配置されるブラケットアセンブリを含む。【解決手段】ブラケットアセンブリは、露出表面を空けるために実質的にハードドライブの主表面を露出するように配置され、且つ、ハードドライブの第１の端がエンクロージャーの第１の端に向かい、及び、ハードドライブの第２の端がエンクロージャーの第２の端に向かうようにエンクロージャー内に取り付けられる。ブラケットアセンブリは、さらに、ハードドライブの第２の端と関連する少なくとも一つの末端部材を含む。キャリアは、さらに、少なくともハードドライブの第２の端から延伸して露出表面における少なくとも一方を部分的に覆うように配置される１つ又は複数の羽根を有する翼型のアセンブリを含む。【選択図】図５
2018060588.tif 000002
【特許請求の範囲】
【請求項１】
第１の端及び第２の端を有するエンクロージャーと、
前記第１の端から前記第２の端へ気流を供給するように配置される気流システムと、
１つ又は複数のハードドライブキャリアと、
前記エンクロージャー内に設けられ、且つ前記１つ又は複数のハードドライブキャリアを着脱可能に受け入れるように配置されるディスクドライブベイと、
を含み、
前記ハードドライブキャリアの各々は、
前記ハードドライブの第１の端が前記エンクロージャーの前記第１の端に向かい、前記ハードドライブの第２の端が前記エンクロージャーの前記第２の端に向かうようにハードドライブを前記ディスクドライブベイに着脱可能に固定するように配置され、露出表面を空けるために実質的に前記ハードドライブの主表面を露出するように配置され、前記ハードドライブの前記第２の端と関連する少なくとも一つの末端部材を含むブラケットアセンブリと、
少なくともハードドライブの前記第２の端から延伸して、前記露出表面における少なくとも一方を部分的に覆うように配置される１つ又は複数の羽根を含む翼型のアセンブリと、を含む、計算装置。
【請求項２】
前記１つ又は複数の羽根の各々は、実質に前記露出表面の前記少なくとも一方と前記少なくとも一つの末端部材との間に延伸する連続的な表面を定義するように配置される請求項１に記載の計算装置。
【請求項３】
前記１つ又は複数の羽根の各々は、実質に前記露出表面の前記少なくとも一方と前記少なくとも一つの末端部材との間に延伸する非連続的な表面を定義するように配置される請求項１に記載の計算装置。
【請求項４】
前記翼型のアセンブリは、前記ハードドライブの前記第２の端を被覆するように配置される請求項１〜３のいずれか一項に記載の計算装置。
【請求項５】
前記１つ又は複数の羽根は、前記主表面における第１の主表面と関連する少なくとも一つの第１の羽根と、前記主表面における第２の主表面と関連する少なくとも一つの第２の羽根と、を含む請求項１〜４のいずれか一項に記載の計算装置。
【請求項６】
エンクロージャー内に設けられるハードドライブの前記エンクロージャーの第１の端から前記エンクロージャーの第２の端への気流による振動を減少するためのハードドライブキャリアであって、
前記ハードドライブを前記エンクロージャーにおける受け入れ素子に着脱可能に固定するように配置され、露出表面を空けるために実質的に前記ハードドライブの主表面を露出するように配置され、前記ハードドライブの第１の端が前記エンクロージャーの前記第１の端に向かい、前記ハードドライブの第２の端が前記エンクロージャーの前記第２の端に向かうように、前記エンクロージャーの内に取り付けられ、前記ハードドライブの前記第２の端と関連する少なくとも一つの末端部材を含むブラケットアセンブリと、
少なくとも前記ハードドライブの前記第２の端から延伸し且つ前記露出表面における少なくとも一方を部分的に覆うように配置される１つ又は複数の羽根を含む翼型のアセンブリと、
を備えるハードドライブキャリア。
【請求項７】
前記１つ又は複数の羽根の各々は、実質的に前記露出表面の前記少なくとも一方と前記少なくとも一つの末端部材との間に延伸する連続的な表面を定義するように配置される請求項６に記載のハードドライブキャリア。
【請求項８】
前記１つ又は複数の羽根の各々は、実質的に前記露出表面の前記少なくとも一方と前記少なくとも一つの末端部材との間に延伸する非連続的な表面を定義するように配置される請求項６に記載のハードドライブキャリア。
【請求項９】
前記翼型のアセンブリは、前記ハードドライブの前記第２の端を被覆するように配置される請求項６〜８のいずれか一項に記載のハードドライブキャリア。
【請求項１０】
前記１つ又は複数の羽根は、前記主表面における第１の主表面と関連する少なくとも一つの第１の羽根と、前記主表面における第２の主表面と関連する少なくとも一つの第２の羽根と、を含む請求項６〜９のいずれか一項に記載のハードドライブキャリア。
【発明の詳細な説明】
【技術分野】
【０００１】
この発明は、一般的に、着脱可能なハードドライブに関し、特に、着脱可能なハードドライブキャリアの緩衝システムに関する。
【背景技術】
【０００２】
「ホット−プラグ」ハードディスクドライブ（ｈａｒｄ  ｄｉｓｋ  ｄｒｉｖｅ；ハードドライブ）は、コンピューター又は周辺システムの運転時に取り外されることができる。ハードドライブは、システムに取り付けられる前に、一般的にハードドライブキャリアに取り付けられる。ハードドライブキャリアは、ハードドライブに接続される枠型の構造であり、ハードドライブをシステムから挿抜するのに協力するためのものである。ハードドライブキャリアは、システム環境の外にもハードドライブを保護する。ハードドライブキャリアは、一般的に、金属及び／又は高分子材料で製造される。
【０００３】
計算システムは、複数のハードドライブを含んでもよく、システムにおける複数のハードドライブの各々が容易に互いに交換することができる。ハードドライブは、システムエンクロージャー内のハードドライブディスクドライブベイ（ＨＤＤ  ｂａｙ）又はハードドライブシャシ（ｃｈａｓｓｉｓ）に取り付けられる。システムが作業する場合、特に、隣り合うハードドライブも同期的に運転する場合、ハードドライブは振動する恐れがあり、且つ、振動が過大になる恐れがある。更に、ハードドライブ技術が速い回転数及び低コストのアーキテクチャに進められる場合に、振動の問題は一層悪くなる。
【０００４】
過大な振動により、復元可能及び復元不可能な書き込み不可能、捜査にかかる時間の増加及び遅い読み書きメモリ時間のようなハードドライブの効率の低下をもたらすことができる。過大な振動は、補修できない初期のハードドライブの故障をもたらすこともできる。例として、ディスクと読み書きコネクタの機械的損傷、ハードディスク移動素子の機械的な摩耗、ソフトウェアツールで補修できないデータエラーを含む。
【０００５】
従来の技術は、主に、ハードディスクにおける機械素子による振動のような、ハードディスク自体の振動の低減にフォーカスする。しかしながら、過度の振動をもたらす他の要素は、まだよく研究されていない。
【発明の概要】
【発明が解決しようとする課題】
【０００６】
本発明の実施形態は、気流による振動を低減するためのハードドライブキャリア及びそれを含む計算装置に関する。
【課題を解決するための手段】
【０００７】
本発明の第１の実施形態において、第１の端及び第２の端を有するエンクロージャーと、第１の端から第２の端へ気流を供給する気流システムと、１つ又は複数のハードドライブキャリアと、エンクロージャー内に設けられ、且つ１つ又は複数のハードドライブキャリアを着脱可能に受け入れるように配置されるディスクドライブベイと、を含む計算装置を提供する。
【０００８】
第１の実施形態において、ハードドライブキャリアの各々は、ハードドライブの第１の端がエンクロージャーの第１の端に向かい、ハードドライブの第２の端がエンクロージャーの第２の端に向かうようにハードドライブをディスクドライブベイに着脱可能に固定するように配置され、露出表面を空けるために実質的にハードドライブの主な表面を露出するように配置され、ハードドライブの第２の端と関連する少なくとも一つの末端部材を含むブラケットアセンブリと、少なくともハードドライブの第２の端から延伸して、露出表面における少なくとも一方を覆うように配置される１つ又は複数の羽根を有する翼型のアセンブリと、を含む。
【０００９】
計算装置において、１つ又は複数の羽根の各々は、実質的に露出表面と末端部材との間に延伸する連続的な表面を定義してよく、選択可能に、各羽根は、実質的に露出表面と末端部材との間に延伸する非連続的な表面を定義してよい。
【００１０】
幾つかの配置において、翼型のアセンブリは、ハードドライブの第２の端を被覆するように配置される。更に、羽根は、主表面における第１の表面と関連する少なくとも一つの第１の羽根と、主表面における第２の表面と関連する少なくとも一つの第２の羽根と、を含んでよい。
【００１１】
幾つかの配置において、翼型のアセンブリは、ブラケットアセンブリに接続される。
【００１２】
本発明の第２の実施形態において、エンクロージャー内に設けられるハードドライブのエンクロージャーの第１の端からエンクロージャーの第２の端への気流による振動を減少するためのハードドライブキャリアであって、ハードドライブをエンクロージャーにおける受け入れ素子に着脱可能に固定するように配置され、露出表面を空けるために実質的にハードドライブの主表面を露出するように配置され、ハードドライブの第１の端がエンクロージャーの第１の端に向かい、ハードドライブの第２の端がエンクロージャーの第２の端に向かうように、エンクロージャーの内に取り付けられ、ハードドライブの第２の端と関連する少なくとも一つの末端部材を含むブラケットアセンブリと、少なくともハードドライブの第２の端から延伸し且つ露出表面における少なくとも一方を部分的に覆うように配置される１つ又は複数の羽根を含む翼型のアセンブリと、を含むハードドライブキャリアを提供する。
【００１３】
ハードドライブキャリアにおいて、１つ又は複数の羽根の各々は、実質的に露出表面における少なくとも一方と末端部材との間に延伸する連続的な表面を定義してよく、選択可能に、各羽根は、実質的に露出表面における少なくとも一方と末端部材とを接続する非連続的な表面を定義してよい。
【００１４】
幾つかの配置において、翼型のアセンブリは、ハードドライブの第２の端を被覆するように配置される。更に、羽根は、第１の主表面と関連する少なくとも一つの第１の羽根と、第２の主表面と関連する少なくとも一つの第２の羽根と、を含んでよい。
【００１５】
幾つかの配置において、翼型のアセンブリは、ブラケットアセンブリに接続される。
【図面の簡単な説明】
【００１６】
【図１】本発明の複数の実施形態に係る計算装置を示す模式図である。
【図２】本発明の複数の実施形態に係るハードドライブが取り付けられたハードドライブキャリアを示す模式図である。
【図３】図２の構造の接線３−３に沿う模式図であり、ハードドライブにおける気流による振動を説明する。
【図４Ａ】本発明の実施形態に基づく部分的分解図であり、気流に由来する振動の低減のために配置されるハードドライブキャリアとそれに取り付けられるハードドライブを説明する。
【図４Ｂ】本発明の実施形態に基づく非分解模式図であり、気流に由来する振動の低減のために配置されるハードドライブキャリアとそれに取り付けられるハードドライブを説明する。
【図５】図４Ｂにおけるハードドライブキャリアの接線５−５に沿う模式図であり、図４Ｂのハードドライブキャリアが気流による振動を低減することを説明する。
【図６Ａ】本発明の複数の実施形態に基づく翼型のアセンブリを示す模式図であり、翼型のアセンブリの複数の可能な様態を説明する。
【図６Ｂ】本発明の複数の実施形態に基づく翼型のアセンブリを示す模式図であり、翼型のアセンブリの複数の可能な様態を説明する。
【図６Ｃ】本発明の複数の実施形態に基づく翼型のアセンブリを示す模式図であり、翼型のアセンブリの複数の可能な様態を説明する。
【図６Ｄ】本発明の複数の実施形態に基づく翼型のアセンブリを示す模式図であり、翼型のアセンブリの複数の可能な様態を説明する。
【発明を実施するための形態】
【００１７】
本発明については、添付図面に合わせて詳しく説明し、参照番号は、図における全ての近似又は同等な素子を指す。図形は、比率に基づいて作図されず、この発明を図示するためのものに過ぎない。以下、適用例によって本発明の各側面を説明する。本発明を十分に理解されるために、多くの特定の細部、関連性及び方法が説明される。しかしながら、当業者であれば、その他の方法又は所定の細部の１つ以上を省略してこの発明を実行することができることは、容易に理解することができる。その他の例において、非合焦を避けるために、周知の構造又は操作を詳しく説明することがない。この発明は、動作又は事例の図示の順序によって制限されず、例えば、ある動作は異なる順序に従って且つ／又は他の動作又は事例と同時に並行することができる。尚、この発明を実施するために提出される方法では、説明される動作又は事例が全然不可欠わけではない。
【００１８】
上記に検討したとおり、過大な振動は、ハードドライブの運転に不利である。過大な振動は、復元可能及び復元不可能な書き込み不可能、捜査にかかる時間の増加及び遅い読み書きメモリ時間のようなハードドライブの効率の低下をもたらすことができる。過大な振動は、補修できない初期のハードドライブの故障をもたらすこともできる。例としては、ディスクと読み書きコネクタの機械的損傷、ハードディスク移動素子の機械的な摩耗、ソフトウェアツールで補修できないデータエラーを含む。
【００１９】
大体には、ハードドライブの過大な振動に対して採用される努力は、主に装置による振動に焦点を合わせる。つまり、機械素子の運転で直接に発生する振動は、ハードドライブ自体又はファンによる機械的振動を含む。しかしながら、過大な振動のその他の原因、特に、気流による振動について、まだ研究又は言及されない。
【００２０】
以下、細部を詳しく説明する。気流による振動の一般的な理由は、ハードドライブ付近の乱流からである。この乱流は、機械力をハードドライブにかけてハードドライブの振動をもたらすことができる。従来のハードドライブの技術世代では、この気流による振動の影響が小さいが、ハードドライブは放置密度の増加により、振動による誤差にも一層敏感である。従って、気流による振動はより注目される。
【００２１】
複数の実施形態を深く検討する前に、先ず気流が振動を生じる原理を更に理解するのは、役立つ。上記のことによって、本開示は図１と図２から始まる。
【００２２】
図１は、本発明の複数の実施形態を説明するための計算装置１００の模式図である。この計算装置１００は、独立なコンピューター、ホスト、サーバー又はその他のホルダー台座に取り付けられるように配置される装置であってよい。例としては、計算装置１００は、ラックサーバー（ｒａｃｋ  ｓｅｒｖｅｒ  ｓｙｓｔｅｍ）、刀身型のサーバー又はその他の類似のものであってよい。しかしながら、実施形態の種類は、これによって制限されるものではない。
【００２３】
図１に示されるように、計算装置１００は、シャシ（ｃｈａｓｓｉｓ）又は第１の端１０２Ａと第２の端１０２Ｂとを有するエンクロージャー（ｅｎｃｌｏｓｕｒｅ）１０２を含む。図示されないが、エンクロージャー１０２は蓋又は内に素子を設けるための出入口とするためのその他の特徴を含んでよい。
【００２４】
エンクロージャー１０２は、さらに、エンクロージャー１０２を透過する気流１０６を形成するように配置される冷却素子１０４含む。例としては、図１に示されるように、冷却素子１０４は、エンクロージャー１０２の第２の端１０２Ｂに設けられ、且つ、エンクロージャー１０２の第１の端１０２Ａからエンクロージャー１０２の第２の端１０２Ｂへの気流１０６を形成するために空気を引導するように配置されるファンを含む。
【００２５】
図１では、エンクロージャー１０２の第２の端１０２Ｂにおける二つの冷却素子１０４のみを示すが、簡易な説明に過ぎない。複数の実施形態において、エンクロージャー１０２内にいかなる数量の冷却素子１０４を具備してよい。又、冷却素子１０４の寸法及び種類は、変化されてもよく、異なる寸法と種類を用いる冷却素子１０４及びその組み合わせを含む。更に、冷却素子１０４の位置は変化されてもよい。つまり、幾つかの配置において、冷却素子１０４は、エンクロージャー１０２の第１の端１０２Ａ、エンクロージャー１０２の第２の端１０２Ｂ、エンクロージャー１０２の中又は如何なる位置の組み合わせに設けられてよい。最後に、冷却素子１０４は図１の説明においてファンであるが、本発明の見解に基づいて、気流１０６を形成できる如何なるその他の種類の素子はいずれも、複数の実施形態に用いることができる。
【００２６】
図１に示されるように、エンクロージャー１０２は、ディスクドライブベイ（ｄｒｉｖｅ  ｂａｙ）１０８を含んでもよい。ディスクドライブベイ１０８は、ハードドライブ１１２のハードドライブキャリア（ＨＤＤ  ｃａｒｒｉｅｒ）１１０をエンクロージャー１０２の中に受け入れて固定するための１つ又は複数の受け入れ素子を含んでよい。ハードドライブキャリア１１０については、図２を参照して下記に更なる検討を行う。図１に示されるように、エンクロージャー１０２に設けられるハードドライブ１１２を一列に並ぶように、ディスクドライブベイ１０８とその受け入れ素子を配置することができる。更に、ハードドライブ１１２の配列により、空気を各ハードドライブ１１２を流させて囲ませる。
【００２７】
図２は、ハードドライブキャリア１１０とハードドライブ１１２の模式図である。図２に示されるように、ハードドライブキャリア１１０は、部材２１０Ａと、２１０Ｂと、２１０Ｃと、２１０Ｄとで定義されるブラケットアセンブリで構成される。ブラケットアセンブリは、ハードドライブ１１２の第１の端１１２Ａがエンクロージャー１０２の第１の端１０２Ａに向かい、且つハードドライブ１１２の第２の端１１２Ｂがエンクロージャー１０２の第２の端１０２Ｂに向かうように、ハードドライブ１１２をディスクドライブベイ１０８に着脱可能に固定する。
【００２８】
特に、ブラケットアセンブリは、ハードドライブ１１２の第１の端１１２Ａと、ハードドライブ１１２の第２の端１１２Ｂと、ハードドライブ１１２の第１の側部(即ち、ハードドライブ１１２の主表面)１１２Ｃと、ハードドライブ１１２の第２の側部１１２Ｄとに囲まれると同時に、実質的にハードドライブ１１２の主表面１１２Ｃを露出するように配置される。部材２１０Ａ−２１０Ｄは、ハードドライブキャリア１１０とハードドライブ１１２をエンクロージャー１０２に固定するために、ディスクドライブベイ１０８の受け入れ素子（ｒｅｃｅｉｖｉｎｇ  ｃｏｍｐｏｎｅｎｔｓ）に接続されるように配置されてよい。このブラケットアセンブリの設計は、ハードドライブ１１２をエンクロージャー１０２内に固定するのに必要なハードウェアの数量を最小化でき、ハードドライブ１１２をエンクロージャー１０２内に支持するのに必要な空間を最小化にする。
【００２９】
しかしながら、ハードドライブキャリア１１０の設計は、所望のハードウェアの数量及びハードドライブ１１２を支持するのに必要な空間を最小化にするが、この設計は、ハードドライブ１１２の気流による振動を増加するようにもする。下記、図３を参照して説明する。
【００３０】
図３は、図２におけるハードドライブキャリアの接線３−３に沿う模式図であり、当該図は、ハードドライブ１１２における気流１０６による振動を説明する。ハードドライブキャリア１１０とハードドライブ１１２がエンクロージャー１０２に固定され、且つ気流１０６が既に形成されると、変化する表面形状は、ハードドライブ１１２の振動をもたらす乱流の原因になる。
【００３１】
運転中、気流１０６が形成されると、多くの原因で気流１０６が平らにならないか層状にならない。第１、ハードドライブ１１２の主表面１１２Ｃが完全に平らでない可能性がある。例としては、図２に示されるように、ハードドライブ１１２はその回路部分を露出する恐れがある。別の例において、ブラケットアセンブリの部材２１０Ａ−２１０Ｄはハードドライブ１１２の隣接する表面と精確に合致できない恐れがある。従って、ブラケットアセンブリとハードドライブ１１２との間の非連続性は、少なくとも小量の気流を乱すことができる。図３は、この正味の効果の模式図である。
【００３２】
最初に、ハードドライブ１１２の第１の端１１２Ａと隣り合う気流３１０は実質的に干渉を受けない可能性があり、且つ、それにより如何なるタイプの振動にならない可能性がある。しかしながら、空気が主表面１１２Ｃに沿って流動し続けると、表面に出る如何なる非連続性は、気流干渉を引き起こし、ハードドライブ１１２に伝送される恐れがある振動をもたらす。ハードドライブ１１２の第２の端１１２Ｂに近接すると、ハードドライブ１１２と部材２１０Ａと間の非連続性は、ハードドライブ１１２の第２の端１１２Ｂの存在場所又は付近に干渉される気流（ｄｉｓｒｕｐｔｅｄ  ａｉｒｆｌｏｗ）３１２を引き起こすことができる。この干渉される気流３１２は、渦系３１４（ｖｏｒｔｉｃｅｓ）及びハードドライブ１１２の第２の端１１２Ｂの領域の気圧を不均一にできる他の空気乱れをもたらすことができる。これらの不均一な気圧は、主表面１１２Ｃのハードドライブ１１２に隣接する第２の端１１２Ｂ付近に不均一なプレスを受けることになってしまい、そのためハードドライブ１１２の運転に影響を及ぼす振動を含む振動を引き起こす。
【００３３】
これらの気流による振動から見ると、本発明の実施例は、改善されたハードドライブキャリア１１０の設計であり、干渉される気流を減少するために、翼型のアセンブリ（ａｉｒｆｏｉｌ  ａｓｓｅｍｂｌｙ）４１４を組み合わせる。図４Ａと図４Ｂに説明する。
【００３４】
本発明の実施形態に基づいて、図４Ａと図４Ｂは、部分的分解図及び非分解図で模式的に説明し、部材４１０Ａと、部材４１０Ｂと、部材４１０Ｃと、部材４１０Ｄとに定義されるハードドライブキャリアやその内に取り付けられるハードドライブ４１２は、気流による振動を減少するように配置される。図４Ａと図４Ｂに示されるように、ハードドライブキャリアやその内に取り付けられるハードドライブ４１２は、図２に示されるものに近似している。従って、素子と関連する参考番号１１２Ａ−１１２Ｄ及び２１０Ａ−２１０Ｄは、参考番号４１２Ａ−４１２Ｄ及び４１０Ａ−４１０Ｄのそれぞれと素子との関係を解釈するのに十分である。
【００３５】
又、ハードドライブキャリアは、ハードドライブ４１２の主表面４１２Ｃの部分からハードドライブ４１２の第２の端４１２Ｂに延伸する１つ又は複数の羽根（ｌｏｕｖｅｒ）４１４Ａ、４１４Ｂを含む翼型のアセンブリ４１４をさらに含んでもよい。運転時、ハードドライブ４１２の主表面４１２Ｃの上方における羽根４１４Ａ、４１４Ｂは、気流干渉を最小化にしてそれで気流による振動を減少するように、ハードドライブ４１２の第２の端４１２Ｂ又はその隣接箇所の気流を引導して平坦化にさせる。下記に図５で説明する。
【００３６】
図５は、図４Ｂにおけるハードドライブキャリアの接線５−５に沿う模式図であり、図４Ｂにおけるハードドライブキャリアが低減された気流によって振動されることを説明する。
【００３７】
上記の図３と関連する検討のように、初期に、ハードドライブ４１２の第１の端４１２Ａ付近の気流５１０は、実質的に干渉を受けない可能性があり、且つ、それにより如何なるタイプの振動にならない可能性がある。ハードドライブ４１２の第２の端４１２Ｂ付近に、ハードドライブ４１２と部材４１０Ａとの非連続性は、通常、ハードドライブ４１２の第２の端４１２Ｂ又は付近に気流干渉になってしまう。しかしながら、翼型のアセンブリ４１４は、この気流干渉を最小に減少する。
【００３８】
特に、翼型のアセンブリ４１４は、図５に示されるように、主表面４１２Ｃと末端部材４１０Ａとの間に、平らでなければプログレッシブ（ｐｒｏｇｒｅｓｓｉｖｅ）の遷移箇所（ｔｒａｎｓｉｔｉｏｎ）を提供する。それにより、気流干渉を大幅に低減ひいては解消することができる。従って、ハードドライブ４１２の第２の端４１２Ｂ付近における気流５１２は著しく小さい干渉を受ける。その結果、如何なる渦系５１４又はその他のハードドライブ４１２の第２の端４１２Ｂ付近の領域の気圧の不均一の原因になる乱流はいずれも、著しく小さい規模を有する。従って、如何なる気圧変化は、総体上、主表面４１２Ｃのハードドライブ４１２に隣接する第２の端４１２Ｂに如何なる著しい不均一なプレスにもならなく、それで発生する振動とハードドライブ４１２の運転に影響を及ぼす振動を著しく低減ひいては解消する。
【００３９】
複数の実施形態において、翼型のアセンブリ４１４の設計を変化できる。例としては、図４Ａに示されるように、翼型のアセンブリ４１４は、ブラケットアセンブリの部材Ｄ４１０Ｄとハードドライブ４１２との間に挿入してハードドライブ４１２の一端を被覆するように配置されることができる。このようなブラケットアセンブリの部材Ｄ４１０Ｄは、翼型のアセンブリ４１４をここに固定する。選択可能に、翼型のアセンブリ４１４は、ブラケットアセンブリの部材Ｄ４１０Ｄに併入されてよい。つまり、いくつかの配置では、翼型のアセンブリ４１４はブラケットアセンブリに接続されることができる。他の配置では、羽根４１４Ａと羽根４１４Ｂはブラケットアセンブリから延伸できる。
【００４０】
羽根４１４Ａ及び羽根４１４Ｂとハードドライブ４１２との間の気流を低減するために、羽根４１４Ａ及び羽根４１４Ｂとハードドライブの主表面４１２Ｃと密着すれば密着するほどよい。従って、翼型のアセンブリ４１４の羽根４１４Ａと羽根４１４Ｂが裏に折ることができる。この配置では、羽根４１４Ａと羽根４１４Ｂは、少なくとも弾性材料からなることができる。選択又は付加可能に、羽根４１４Ａと羽根４１４Ｂのハードドライブ４１２の主表面４１２Ｃと接触するエッジは、羽根４１４Ａと羽根４１４Ｂが裏に折ると密封できることを確保するために、柔軟な材料からなってよい。
【００４１】
上記に言及された以外に、翼型のアセンブリ４１４の幾何形状を変化させることもできる。複数の実施形態に基づいて、図６Ａと、図６Ｂと、図６Ｃと、図６Ｄとは、翼型のアセンブリ４１４のさまざまな可能な態様を説明する。図６Ａは「方形」の態様を示す。つまり、羽根４１４Ａと羽根４１４Ｂとのエッジは、方形である。このような態様において、羽根４１４Ａと羽根４１４Ｂの厚さを選択することによってそのエッジを比較的に薄くでき、小さい気流干渉のみをもたらす。
【００４２】
いくつかの態様において、気流を改善するために、羽根４１４Ａと羽根４１４Ｂの全体に沿って楔形にする。図６Ｂに説明する。選択可能に、図６Ｃに示されるように、羽根４１４Ａと羽根４１４Ｂの一部のみを楔形にしてもよい。
【００４３】
上記のような態様では、羽根４１４Ａと羽根４１４Ｂは、全体の表面に実質的な連続性を有する。しかしながら、他の態様では、図６Ｄに示されるように、羽根４１４Ａと羽根４１４Ｂは、階段状な態様を有してよい。気流を改善するために、階段がプログレッシブのランプを提供するように選択することができる。更に、図６Ｄでは、一階の階段のみを示すが、如何なる数量の階段も採用できる。
【００４４】
複数の実施形態において、翼型のアセンブリ４１４の設計を変化できる。翼型のアセンブリ４１４は、気流による振動を著しく減少ひいては解消することができる。
【００４５】
翼型のアセンブリ４１４を含まない態様と翼型のアセンブリ４１４を含む態様を比較テストとして挙げる。ハードドライブ４１２の効果は、翼型のアセンブリ４１４を含むから、実質的に５２.２％から８９.５％に向上された。従って、翼型のアセンブリ４１４は、気流による振動を非常に効果的に減少ひいては解消する。
【００４６】
【表１】
2018060588.tif 000003
【００４７】
ここに示される例示は、複数の実施形態を制限するためのものではない。ただ説明用のものである。
【００４８】
以上、本発明の複数の実施形態を説明したが、理解すべきなのは、その呈示はただ挙例用に過ぎなく、制限するものではない。開示された実施形態は、この発明の精神と範囲を逸脱しない限り、この開示により数種類の変動を加えることができる。従って、この発明の広さと範囲は、前記の実施形態によって制限されるものではない。この発明の範囲は、後記の請求項及びその同等な効果によって定義されるものである。
【００４９】
本発明は、関連の実施形態を解釈して詳しく説明したが、他の当業者は、この明細書及び添付図面を閲覧及び理解した上で、同等な効果の変更と修正を想到できる。尚、この発明の所定の特徴は、複数の実施形態の一つのみを開示するかもしれなく、この特徴は、所定の適用の期待とメリットを達成するために、１つ又は複数の他の実施形態における特徴と組み合わせることができる。
【００５０】
ここに用いられる用語は、特定の実施形態を詳しく説明し、且つこの発明を有意に制限するものではない。上下文には、単数を特記しない限り、ここで用いられる単数型の「一」と「当該」は、複数型も指す。尚、用語「からなる」、「を有する」、「を持つ」又はその他の変形については、詳細な実施細部及び／又は請求項にも用いても、このような用詞の用法はいずれも、「を含む」に近い。
【００５１】
特別に定義しない限り、ここの全ての用語(技術性及び科学性の用語を含む)はいずれも、当業者によって容易に理解できる。更に理解すべきなのは、ここのよく辞書に載られる通常の用語について、関連分野の背景で解読すべきであり、且つ、この解読は、理想化又は正規化し過ぎるべきではない。
【符号の説明】
【００５２】
１００    計算装置
１０２    エンクロージャー
１０２Ａ    第１の端
１０２Ｂ    第２の端
１０４    冷却素子
１０６    気流
１０８    ディスクドライブベイ
１１０    ハードドライブキャリア
１１２    ハードドライブ
１１２Ａ    第１の端
１１２Ｂ    第２の端
１１２Ｃ    主表面
１１２Ｄ    主表面
２１０Ａ    部材Ａ
２１０Ｂ    部材Ｂ
２１０Ｃ    部材Ｃ
２１０Ｄ    部材Ｄ
３１０    気流
３１２    気流
３１４    渦系
４１０Ａ    部材Ａ
４１０Ｂ    部材Ｂ
４１０Ｃ    部材Ｃ
４１０Ｄ    部材Ｄ
４１２    ハードドライブ
４１２Ａ    第１の端
４１２Ｂ    第２の端
４１４    翼型のアセンブリ
４１４Ａ    羽根
４１４Ｂ    羽根
５１０    気流
５１２    気流
５１４    渦系
【図１】
2018060588.tif 000004
【図２】
2018060588.tif 000005
【図３】
2018060588.tif 000006
【図４Ａ】
2018060588.tif 000007
【図４Ｂ】
2018060588.tif 000008
【図５】
2018060588.tif 000009
【図６Ａ】
2018060588.tif 000010
【図６Ｂ】
2018060588.tif 000011
【図６Ｃ】
2018060588.tif 000012
【図６Ｄ】
2018060588.tif 000013